(57)【要約】【課題】電気泳動方式の表示装置において、領域の指定を行った際に画像が乱れることを防ぐ。【解決手段】情報表示装置は、表示画面に表示された画像について領域指定を開始する操作が行われた後、スタイラスペンが画面上に接触させられると、スタイラスペンが接触した位置に画像Ｇ１を表示する。また、ユーザーがスタイラスペンを画面上に接触させたまま移動させると、画像Ｇ１の位置とスタイラスペンの接触位置とを結ぶ線を対角線とする矩形の白の画像Ｇ２を表示する。情報表示装置は、予め定められた周期で画像Ｇ１，Ｇ２の表示／非表示を繰り返す。【選択図】図６
2011013660.tif 000002
【特許請求の範囲】
【請求項１】
黒を含む着色された画像が表示される表示体と、
前記表示体の画面内において指定された位置を取得する位置取得部と、
前記表示体の画面内において指定された領域を前記位置取得部によって取得された位置を用いて特定し、該特定された領域に予め定められた形状の着色されていない図形が表示されるように、前記表示体の当該領域を制御する制御部と
を有する表示装置。
【請求項２】
前記制御部は、前記図形の表示と非表示とが予め定められた周期で交互に行われるように、前記表示体において前記領域を制御することを特徴とする請求項１に記載の表示装置。
【請求項３】
黒を含む着色された画像が表示される表示体と、
前記表示体の画面内において指定された位置を取得する位置取得部と、
前記表示体の画面内において指定された領域を前記位置取得部によって取得された位置を用いて特定するとともに、前記表示体に表示された前記画像において、着色された部分の面積と着色されていない部分の面積との比率によって、予め定められた形状の着色された図形と予め定められた形状の着色されていない図形のうちいずれか一方が該特定された領域に表示されるように、前記表示体の当該領域を制御する制御部と、
を有する表示装置。
【請求項４】
操作される操作部と、前記画像を表す画像データを記憶する記憶部と、をさらに有し、
前記制御部は、前記操作部にされた操作に応じて、前記記憶部に記憶された前記画像データが表す前記画像が前記表示体に表示されるように前記表示体を制御するとともに、前記着色されていない部分の面積が前記着色された部分の面積より広い場合には前記着色されていない図形が表示され、前記着色されていない部分の面積が前記着色された部分の面積より広くない場合には前記着色された図形が表示されるように、前記表示体の当該領域を制御すること
を特徴とする請求項３に記載の表示装置。
【請求項５】
前記制御部は、前記着色されていない図形または前記着色された図形の表示と非表示とが予め定められた周期で交互に行われるように、前記表示体において前記領域を制御することを特徴とする請求項３または請求項４に記載の表示装置。
【請求項６】
前記表示体は、前記表示体に表示された前記画像を消去したときに、前記画像の残像が発生する方式の表示体であることを特徴とする請求項１乃至請求項５のいずれかに記載の表示装置。
【請求項７】
前記表示体は電気泳動表示体であることを特徴とする請求項６に記載の表示装置。
【請求項８】
前記表示体はエレクトロクロミック表示体であることを特徴とする請求項６に記載の表示装置。
【発明の詳細な説明】
【技術分野】
【０００１】
本発明は、画像内の領域を選択する技術に関する。
【背景技術】
【０００２】
画像上でユーザーが選択した領域を識別しやすくする装置として、例えば特許文献１に開示された装置がある。この装置においては、画像表示部においてユーザーが選択した領域を示す枠が表示され、マウスがドラッグされることにより、枠の大きさや位置が変更される。また、この装置においては、画像上の暗い部分に枠が位置すると枠の外側の輝度が高くなり、画像上の明るい部分に枠が位置すると枠の外側の輝度が低くなるため、枠で指定された領域をユーザーが識別しやすくなる。
【先行技術文献】
【特許文献】
【０００３】
【特許文献１】特開２００７−１１４９９号公報
【発明の概要】
【発明が解決しようとする課題】
【０００４】
ところで、ドラッグにより黒枠の大きさを変更する場合、領域を確定するまでの間は表示が部分的に何度も書き換えられる。そのため、表示装置としてたとえば電気泳動表示装置やエレクトロクロミック表示装置のように残像が発生する表示装置を用いた場合、黒枠の跡がかすかに残る現象が発生し、表示中の画像が乱れてしまうこととなる。
【０００５】
本発明は、上述した背景の下になされたものであり、電気泳動表示装置やエレクトロクロミック表示装置のように残像が発生する可能性がある表示装置において、領域の指定を行った際に画像が乱れることを防ぐ技術を提供することを目的とする。
【課題を解決するための手段】
【０００６】
本発明に係る表示装置は、黒を含む着色された画像が表示される表示体と、前記表示体の画面内において指定された位置を取得する位置取得部と、前記表示体の画面内において指定された領域を前記位置取得部によって取得された位置を用いて特定し、該特定された領域に予め定められた形状の着色されていない図形が表示されるように、前記表示体の当該領域を制御する制御部とを有する。
本発明によれば、ユーザーにより指定された領域には着色されていない図形が表示されるため、領域の指定に黒枠を使用する場合と比較して、領域の指定を行った際に画像が乱れることがない。
【０００７】
また、本発明においては、前記制御部は、前記図形の表示と非表示とが予め定められた周期で交互に行われるように、前記表示体において前記領域を制御する構成としてもよい。
この構成によれば、ユーザーが指定した領域において予め定められた形状の図形の表示と非表示とが繰り返されるため、ユーザーは、指定した領域を容易に認識できる。
【０００８】
本発明においては、黒を含む着色された画像が表示される表示体と、前記表示体の画面内において指定された位置を取得する位置取得部と、前記表示体の画面内において指定された領域を前記位置取得部によって取得された位置を用いて特定するとともに、前記表示体に表示された前記画像において、着色された部分の面積と着色されていない部分の面積との比率によって、予め定められた形状の着色された図形と予め定められた形状の着色されていない図形のうちいずれか一方が該特定された領域に表示されるように、前記表示体の当該領域を制御する制御部と、を有する。
この構成によれば、表示されている画像において着色された部分の面積と着色されていない部分の面積との比率によって、領域を示すための図形が着色されるかどうかが選択されるので、領域の指定を行った際の画像の視認性が高くなる。
【０００９】
また、本発明においては、操作される操作部と、前記画像を表す画像データを記憶する記憶部と、をさらに有し、前記制御部は、前記操作部にされた操作に応じて、前記記憶部に記憶された前記画像データが表す前記画像が前記表示体に表示されるように前記表示体を制御するとともに、前記着色されていない部分の面積が前記着色された部分の面積より広い場合には前記着色されていない図形が表示され、前記着色されていない部分の面積が前記着色された部分の面積より広くない場合には前記着色された図形が表示されるように、前記表示体の当該領域を制御してもよい。
この構成によれば、着色されていない部分の面積が前記着色された部分の面積より広い場合には前記着色されていない図形が表示されるため、領域の指定に着色された図形を使用する場合と比較して、領域の指定を行った際に画像が乱れることがない。また、着色されていない部分の面積が前記着色された部分の面積より広くない場合には、ユーザーにより指定された領域には着色された図形が表示されるが、着色された部分の面積が広いため、ユーザーにより指定された領域を書き換えて残像が発生しても、周囲の着色された部分の画像と差が目立つことがない。  
【００１０】
また、本発明においては、前記制御部は、前記着色されていない図形または前記着色された図形の表示と非表示とが予め定められた周期で交互に行われるように、前記表示体において前記領域を制御する構成としてもよい。
この構成によれば、ユーザーが指定した領域において予め定められた形状の図形の表示と非表示とが繰り返されるため、ユーザーは、指定した領域を容易に認識できる。
【００１１】
また、本発明においては、前記表示体は、前記表示体に表示された前記画像を消去したときに、前記画像の残像が発生する方式の表示体であることが好ましい。
また、本発明においては、前記表示体は電気泳動表示体であることが好ましい。
また、本発明においては、前記表示体はエレクトロクロミック表示体であることが好ましい。
【００１２】
また、本発明においては、前記制御部は、前記図形の表示と非表示とが予め定められた周期で交互に行われるように、前記表示体において前記領域を制御する構成としてもよい。
この構成によれば、ユーザーが指定した領域において予め定められた形状の図形の表示と非表示とが繰り返されるため、ユーザーは、指定した領域を容易に認識できる。
【図面の簡単な説明】
【００１３】
【図１】本発明の一実施形態に係る情報表示装置１の外観図。
【図２】情報表示装置１のハードウェア構成を示したブロック図。
【図３】ＣＰＵ２０１が行う処理の流れを示すフローチャート。
【図４】表示体１００に表示される画面を示した図。
【図５】表示体１００に表示される画面を示した図。
【図６】表示体１００に表示される画面を示した図。
【図７】ＣＰＵ２０１が行う処理の流れを示すフローチャート。
【図８】表示体１００に表示される画面を示した図。
【発明を実施するための形態】
【００１４】
［実施形態］
（実施形態の構成）
図１は、本発明の一実施形態に係る情報表示装置１の外観図である。情報表示装置１は、文字や図、写真などの画像を表示する装置である。情報表示装置１は、矩形で板状の形状をしており、画像を表示する表示体１００と、情報表示装置１を操作するための操作部として機能するボタン１０などを有している。なお、表示体１００の表面には、図示を省略した透明なタッチパネルが配置されている。
スタイラスペン２は、タッチパネル上で座標を指定するためのペンである。スタイラスペン２の先端部分は、タッチパネルや表示体１００を傷付けないように先端部分が曲面となっている。スタイラスペン２をタッチパネルに接触させることにより、マウスのクリックやドラッグと同様の操作を行うことができる。
【００１５】
図２は、情報表示装置１のハードウェア構成を示したブロック図である。表示体１００は、マイクロカプセル型の電気泳動素子が２枚の基板に挟まれた電気泳動表示体であり、白、黒およびグレーの画像を表示することができる。ここで、白を非着色状態、黒を着色状態とみなすことができる。表示体１００の駆動方式はアクティブマトリクス方式であり、表示体１００においては、表示体１００の短手方向に延在する複数のアドレス線と、長手方向に延在する複数のデータ線が形成されている。アドレス線駆動部１０１は、表示体１００のアドレス線に電圧を印加する回路を有しており、表示体制御部１１０の制御の下、アドレス線に電圧を印加する。また、データ線駆動部１０２は、表示体１００のデータ線に電圧を印加する回路を有しており、表示体制御部１１０の制御の下、アドレス線に電圧を印加する。
【００１６】
表示体制御部１１０は、駆動部１１１、ＶＲＡＭ（Video Random Access Memory）１１２Ａを有している。ＶＲＡＭ１１２Ａは、表示体１００に表示する画像を記憶するメモリである。駆動部１１１は、アドレス線駆動部１０１とデータ線駆動部１０２を制御する回路を備えている。駆動部１１１は、ＶＲＡＭ１１２Ａに記憶されている画像に基づいてアドレス線駆動部１０１およびデータ線駆動部１０２を制御し、表示体１００に画像を表示させる。
【００１７】
制御部２００は、ＣＰＵ（Central Processing Unit）２０１、ＲＯＭ（Read Only Memory）２０２、ＲＡＭ（Random Access Memory）２０３を有している。また、制御部２００には、表示体制御部１１０、記憶部２１０、タッチパネル２２０、操作部２３０が接続されている。ＣＰＵ２０１はＲＯＭ２０２に記憶されている制御プログラムに従って動作し、表示体制御部１１０や記憶部２１０を制御する。
なお、本実施形態においては、制御部２００が表示体制御部１１０を制御することにより表示体１００が制御されて画像が表示されるため、制御部２００と表示体制御部１１０とについては、まとめて表示体１００を制御する「制御部」と言うことができる。
【００１８】
記憶部２１０は、不揮発性メモリを有しており、文字や図、写真などの画像を表す画像データを記憶する。透明なタッチパネル２２０は、表示体１００の表面に配置されており、表面に物体が触れると物体が触れた位置を示す位置信号を制御部２００へ出力する。また、タッチパネル２２０は、表示体１００が表示した画像を透過する。操作部２３０は、ボタン１０を有しており、ボタン１０が操作されると操作されたボタンを示す信号を制御部２００へ出力する。ＣＰＵ２０１は、タッチパネル２２０やボタン１０から信号が入力されると、表示体制御部１１０を制御して画像を表示体１００に表示させる。
【００１９】
（実施形態の動作）
次に、本実施形態に係る情報表示装置１の動作について説明する。
まず、ユーザーが記憶部２１０に記憶されている画像データの画像の表示を指示する操作を操作部２３０において行うと、ＣＰＵ２０１は、記憶部２１０から画像データを読み出し、読み出した画像データの画像をＶＲＡＭ１１２Ａに書き込む。ＣＰＵ２０１は、画像のＶＲＡＭ１１２Ａへの書き込みが終了すると、画像の表示を指示する信号を表示体制御部１１０へ出力する。
この信号が表示体制御部１１０に入力されると、駆動部１１１は、ＶＲＡＭ１１２Ａに記憶された画像に従ってアドレス線駆動部１０１とデータ線駆動部１０２を制御する。すると、アドレス線駆動部１０１とデータ線駆動部１０２から電圧が表示体１００に印加され、ＶＲＡＭ１１２Ａに記憶された画像が表示体１００に表示される。例えば、画像データの画像が文字列の画像である場合、文字列が図４に示したように表示される。
【００２０】
次に、ユーザーが、表示された画像について領域の指定を開始する操作を操作部２３０において行った後、スタイラスペン２をタッチパネル２２０に接触させると、スタイラスペン２が接触した位置を示す信号がタッチパネル２２０から出力される。この信号が制御部２００に入力されると（図３：ステップＳ１０１；ＹＥＳ）、ＣＰＵ２０１は、スタイラスペン２が触れた位置（領域指定の始点）を示す信号を表示体制御部１１０へ出力する（ステップＳ１０２）。スタイラスペン２が触れた位置を示す信号が表示体制御部１１０に入力されると、駆動部１１１は、この信号の示す接触位置を領域指定の始点として記憶する。また、ＣＰＵ２０１は、タッチパネル２２０からの信号が示す位置を、領域指定の始点としてＲＡＭ２０３に記憶させる（ステップＳ１０３）。
なお、ここで、ユーザーがスタイラスペン２で指定した位置がタッチパネル２２０と制御部２００とにより取得されることから、タッチパネル２２０と制御部２００は、表示体１００の画面内でユーザーが指定した位置を取得する位置取得部として機能している。
【００２１】
次に、ＣＰＵ２０１が、領域指定の始点を示す画像Ｇ１の表示を指示する信号を表示体制御部１１０へ出力する（ステップＳ１０４）。この信号が表示体制御部１１０に入力されると、駆動部１１１は、領域指定の始点を示す画像Ｇ１が表示されるようにアドレス線駆動部１０１とデータ線駆動部１０２を制御する。なお、画像Ｇ１を表示させる位置は、駆動部１１１が領域指定の始点として記憶した位置に対応した位置となる。また、アドレス線駆動部１０１とデータ線駆動部１０２は駆動部１１１により制御され、画像Ｇ１を表示させるアドレス線とデータ線についてのみアドレス線とデータ線を駆動し、部分的に表示を書き換える。
すると表示体１００においては、図５に示したようにスタイラスペン２の接触位置、つまり領域指定の始点に、この始点を示す画像Ｇ１が重畳されて表示される。
【００２２】
次に、ユーザーがスタイラスペン２をタッチパネル２２０に接触させたまま移動させると、スタイラスペン２が触れた位置を示す信号がタッチパネル２２０から出力される。ＣＰＵ２０１は、ステップＳ１０４の処理を終了した後、タッチパネル２２０から出力されている信号を受け取り（ステップＳ１０５）、タッチパネル２２０から出力された信号が示す位置を、領域指定の終点位置としてＲＡＭ２０３に記憶させる（ステップＳ１０６）。また、ＣＰＵ２０１は、この領域指定の終点位置を示す信号を表示体制御部１１０へ出力する（ステップＳ１０７）。この信号が表示体制御部１１０に入力されると、駆動部１１１は、この信号の示す位置を領域指定の終点として記憶する。また、ＣＰＵ２０１は、表示フラグの値を、表示していることを示す「１」にしてＲＡＭ２０３に記憶させる（ステップＳ１０８）。
【００２３】
次に、ＣＰＵ２０１が、領域指定の始点位置と終点位置とを結ぶ線を対角線とする矩形の画像Ｇ２の表示を指示する信号を表示体制御部１１０へ出力する（ステップＳ１０９）。この信号が表示体制御部１１０に入力されると、駆動部１１１は、記憶した領域指定の始点位置と終点位置とを結ぶ線を対角線とする矩形の画像Ｇ２が表示されるようにアドレス線駆動部１０１とデータ線駆動部１０２を制御する。ここでも、アドレス線駆動部１０１とデータ線駆動部１０２は駆動部１１１により制御され、画像Ｇ２を表示させるアドレス線とデータ線についてのみ駆動し、部分的に表示を書き換える。すると、図６に示したように、画像Ｇ１の位置と移動したスタイラスペン２の接触位置を頂点とする矩形の画像Ｇ２が重畳されて表示体１００に表示される。表示体１００においては、この矩形の画像Ｇ２の色は白とされるため、矩形の領域内は表示された文字の画像が消去されることとなる。なお、図６においては画像Ｇ２の領域を分かりやすくするために、画像Ｇ２の領域が点線で示されているが、実際の表示においては、この点線は表示されない。
【００２４】
次に、ユーザーがタッチパネル２２０からスタイラスペン２を離すと（ステップＳ１１０）、ＣＰＵ２０１は、タイマー割り込みによって予め定められた周期で図７に示した処理を行う。具体的には、ＣＰＵ２０１は、タイマー割り込みが発生すると、まず表示フラグの値を判断する。ここで、上述したように表示フラグの値は「１」であるため（ステップＳ２０１；ＹＥＳ）、ＣＰＵ２０１は、表示フラグの値を「０」に変更し（ステップＳ２０２）、ＶＲＡＭ１１２Ａの画像を表示するよう指示する信号を表示体制御部１１０へ出力する（ステップＳ２０３）。この信号が表示体制御部１１０に入力されると、駆動部１１１は、ＶＲＡＭ１１２Ａに記憶された画像に従ってアドレス線駆動部１０１とデータ線駆動部１０２を制御する。すると、アドレス線およびデータ線に電圧が印加され、ＶＲＡＭ１１２Ａに記憶された画像（図４）が表示体１００に表示される。
なお、ここでアドレス線駆動部１０１とデータ線駆動部１０２は、駆動部１１１により制御され、画像Ｇ１と画像Ｇ２が表示されていた部分についてのみアドレス線とデータ線を駆動し、部分的に表示を書き換える。
【００２５】
次に、タイマー割り込みの周期として予め設定された時間が経過し、再度タイマー割り込みが発生すると、ＣＰＵ２０１は、表示フラグの値を判断する。ここで、上述したように表示フラグの値は「０」であるため（ステップＳ２０１；ＮＯ）、ＣＰＵ２０１は、表示フラグの値を「１」に変更し（ステップＳ２０４）、画像Ｇ１と画像Ｇ２の表示を指示する信号を表示体制御部１１０へ出力する（ステップＳ２０５）。この信号が表示体制御部１１０に入力されると、駆動部１１１は、画像Ｇ１と画像Ｇ２が表示されるようにアドレス線駆動部１０１とデータ線駆動部１０２を制御する。ここでも、アドレス線駆動部１０１とデータ線駆動部１０２は駆動部１１１により制御され、画像Ｇ１と画像Ｇ２を表示させるアドレス線とデータ線についてのみ、アドレス線とデータ線を駆動し、部分的に表示を書き換える。すると、図６に示したように、図４の画像に画像Ｇ１と画像Ｇ２が重畳されて表示される。以下、タイマー割り込みの処理は、予め定められた周期で実行されるため、上述した動作が繰り返し行われ、画像Ｇ１および画像Ｇ２は表示と非表示を繰り返し、点滅するようにユーザーに視認される。
【００２６】
次に、例えば、画像Ｇ２内の画像の消去を指示する操作が操作部２３０において行われると、ＣＰＵ２０１は、ＲＡＭ２０３に記憶された領域指定の始点位置と終点位置とを結ぶ線を対角線とする矩形の白の画像を、ＶＲＡＭ１１２Ａに書き込む。次に、ＣＰＵ２０１が、ＶＲＡＭ１１２Ａの画像の表示を指示する信号を表示体制御部１１０へ出力すると、駆動部１１１は、ＶＲＡＭ１１２Ａに記憶された画像に従ってアドレス線駆動部１０１とデータ線駆動部１０２を制御する。すると、アドレス線およびデータ線に電圧が印加され、ＶＲＡＭ１１２Ａに記憶された画像が表示体１００に表示され、画像Ｇ２の領域が消去された画像が表示体１００において表示される。
【００２７】
本実施形態によれば、ユーザーが選択した領域は白で表示されるため、黒の枠を表示する態様と比較して、ユーザーが選択した領域に領域を表す画像が残ることがなく、表示中の画像が乱れることがない。また、ユーザーが選択した領域においては白の画像が点滅するため、ユーザーに対して、選択された領域を容易に視認させることができる。
【００２８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２９】
上述した実施形態においては、領域指定の始点の位置に画像Ｇ１を表示しているが、画像Ｇ１を表示しないようにしてもよい。
また、上述した実施形態においては、画像Ｇ１と画像Ｇ２について、定められた周期で表示と非表示が繰り返されるようになっているが、タイマー割り込みによる処理を行わず、画像Ｇ１と画像Ｇ２を表示したままとしてもよい。
また、上述した実施形態においては、スタイラスペン２をタッチパネル２２０から離すまでの間、即ち、領域を指定している最中においても、画像Ｇ１と画像Ｇ２を予め定められた周期で表示／非表示を切り替えてもよい。なお、この場合、スタイラスペン２をタッチパネル２２０から離すまでの間（領域指定中）と、離した後（領域指定後）とで表示／非表示を切り替える期間を異ならせてもよい。
また、上述した実施形態においては、ユーザーが指定した領域内の文字の色をグレーで表示するようにしてもよい。
また、上述した実施形態においては、画像Ｇ２の輪郭部分のみ表示／非表示を切り替えるようにしてもよい。
また、上述した実施形態においては、表示体１００は、白、黒およびグレーの表示を行うものであるが、カラーの画像を表示するものであってもよい。
また、上述した実施形態においては、画像Ｇ１は黒であり、画像Ｇ２は白で表示されるが、いずれの画像も中間階調（例えばグレー）で表示してもよい。
【００３０】
上述した実施形態においては、ＣＰＵ２０１は、画像Ｇ２を表示する前に、ＶＲＡＭ１１２Ａへ書き込んだ画像における黒の部分の面積と、白の部分の面積とを算出してもよい。そして、ＣＰＵ２０１は、黒部分の面積と白部分の面積とを比較し、黒部分の面積が広い場合には画像Ｇ２の色を黒とし、一方、白部分の面積が広い場合には画像Ｇ２の色を白としてもよい。
【００３１】
上述した実施形態においては、ユーザーが指定した領域は、白の矩形の画像Ｇ２として表示されているが、図８に示したように、領域指定の始点と終点とを結ぶ線を対角線とする矩形の白枠の画像Ｇ３を画像Ｇ２に替えて表示してもよい。なお、図８においては、画像Ｇ３を分かりやすくするために、白枠の領域が点線で示されているが、実際の表示においては、この点線は表示されない。
また、白枠の画像Ｇ３を表示する場合、予め定められた周期で画像Ｇ３の表示と非表示を繰り返してもよい。
また、画像Ｇ３を表示する場合、枠の頂点部分に黒の十字の画像や、黒またはグレーの鉤括弧を表示してもよい。
また、画像Ｇ３は、枠の頂点付近については枠の太さを太くしてもよい。
【００３２】
上述した実施形態においては、制御部２００と表示体制御部１１０とが別々のブロックとなっているが、制御部２００と表示体制御部１１０と纏めて一つのブロックとし、表示体１００を制御する制御部としてもよい。なお、上述した実施形態においても、制御部２００と表示体制御部１１０は、まとまって表示体１００を制御するため、制御部２００と表示体制御部１１０とを、表示体１００を制御する制御部ということができる。
【００３３】
上述した実施形態においては、表示体１００として、電気泳動表示体を用いたが、本発明は、残像が発生しうる他の表示体にも適用できる。たとえば、電気泳動表示体の代わりに、残像が発生しうるエレクトロクロミック表示体を用いても良い。周知の通り、エレクトロクロミック材料を挟持する２つの電極間に電圧を印加するとエレクトロクロミック材料に電流が流れ、エレクトロクロミック材料が固有の色を発色する。また、２つの電極間に逆向きの電圧を印加するとエレクトロクロミック材料に逆向きの電流が流れてその色が消去される。そのため、エレクトロクロミック材料を用いた表示体においても、一旦表示された画像は電流を流すのを停止しても保持される。そして、電気泳動表示体と同様、画像を消去したとき残像が発生する。そこで、上述した実施形態における電気泳動表示体の代わりに、複数の画素がマトリクス駆動されるエレクトロクロミック表示体を用いた情報表示装置１においても本発明を実施することができる。ただし、上述した実施形態で用いた電気泳動表示体は、白と黒とで画像を表示するものであったが、エレクトロクロミック表示体は、エレクトロクロミック材料固有の色によって着色された状態と非着色状態とで画像を表示する、という点が異なる。そのため、エレクトロクロミック表示体における非着色状態と着色状態はそれぞれ、電気泳動表示体における白と黒に対応する。
なお、本発明は電気泳動表示体やエレクトロクロミック表示体に限定されるものではなく、強誘電性液晶を用いた表示体など、残像が発生しうるいかなる表示体にも適用できる。
【符号の説明】
【００３４】
１・・・情報表示装置、２・・・スタイラスペン、１０・・・ボタン、１００・・・表示体、１０１・・・アドレス線駆動部、１０２・・・データ線駆動部、１１０・・・表示体制御部、１１２Ａ・・・ＶＲＡＭ、１１１・・・駆動部、２００・・・制御部、２０１・・・ＣＰＵ，２０２・・・ＲＯＭ、２０３・・・ＲＡＭ、２１０・・・記憶部、２２０・・・タッチパネル、２３０・・・操作部
【図１】
2011013660.tif 000003
【図２】
2011013660.tif 000004
【図３】
2011013660.tif 000005
【図４】
2011013660.tif 000006
【図５】
2011013660.tif 000007
【図６】
2011013660.tif 000008
【図７】
2011013660.tif 000009
【図８】
2011013660.tif 000010